【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
通信装置であって、
ネットワークを形成する形成手段と、
前記形成手段によりネットワークを形成した後に、他のネットワークを検索する検索手段と、
前記検索手段により検出した他のネットワークに存在する他の通信装置の通信パラメータの設定処理における役割を判別する判別手段と、
通信パラメータの設定処理における役割が通信パラメータの提供装置である通信装置を検出すると、該提供装置が存在するネットワークに参加する参加手段と、
前記参加手段により前記提供装置のネットワークへの参加後に、前記提供装置と前記設定処理を実行し、前記提供装置から提供された通信パラメータを設定する設定手段と、
を有することを特徴とする通信装置。
【請求項２】
前記提供装置が検出されなければ、前記通信装置は、前記形成手段により形成したネットワークでの通信を継続することを特徴とする請求項１に記載の通信装置。
【請求項３】
前記提供装置を検出し、かつ、前記通信装置の役割が通信パラメータの提供装置でない場合に、前記参加手段により前記他のネットワークに参加することを特徴とする請求項１に記載の通信装置。
【請求項４】
前記設定手段は、前記提供装置に通信パラメータの提供を要求し、前記提供装置から受け取った通信パラメータを設定することを特徴とする請求項１乃至請求項３のいずれかに記載の通信装置。
【請求項５】
前記設定手段による前記通信パラメータの設定処理を開始する際に、前記提供装置の起動状態を確認する確認手段と、
前記設定手段は、前記確認手段により前記提供装置の起動状態を確認した結果に応じて、前記設定処理を継続することを特徴とする請求項１乃至請求項４のいずれかに記載の通信装置。
【請求項６】
前記確認手段は、前記提供装置として起動が完了しているか否かを確認することを特徴とする請求項５に記載の通信装置。
【請求項７】
前記通信装置の通信パラメータの設定処理の役割を決定する決定手段を有し、
前記決定手段により前記通信装置の役割を通信パラメータの提供装置に決定する前に、前記提供装置を検出すると、前記参加手段による前記提供装置が存在するネットワークへの参加を実行することを特徴とする請求項１乃至請求項６のいずれかに記載の通信装置。
【請求項８】
前記通信装置の通信パラメータの設定処理の役割を決定する決定手段を有し、
前記決定手段により決定した役割を他の通信装置に通知する通知手段を有することを特徴とする請求項１乃至請求項６のいずれかに記載の通信装置。
【請求項９】
前記通知手段は、前記決定手段により決定した役割としての起動状態を他の通信装置に通知することを特徴とする請求項８に記載の通信装置。
【請求項１０】
前記通知手段は、前記決定手段により決定した役割として起動が完了しているか否か通知することを特徴とする請求項９に記載の通信装置。
【請求項１１】
前記通知手段は、前記決定手段により決定した役割として起動が完了しているか否かに応じて、前記決定手段により決定した役割を他の通信装置に通知することを特徴とする請求項８に記載の通信装置。
【請求項１２】
通信装置であって、
ネットワークで通信するための通信パラメータを他の通信装置に提供するか、他の通信装置から通信パラメータを受け取るかを決定する決定手段と、
通信パラメータの提供側装置を確認する確認手段と、
前記決定手段により前記通信装置が他の通信装置から通信パラメータを受け取ると決定した後に、通信パラメータの提供装置としての機能の起動状態を判別する判別手段と、
前記判別手段による判別に応じて、前記他の通信装置に通信パラメータの提供を要求する要求手段と、
を有することを特徴とする通信装置。
【請求項１３】
通信パラメータの提供側装置が形成するネットワークに参加する参加手段を有し、
前記判別手段は、前記参加手段により前記提供側装置が形成するネットワークへの参加後に、前記判別を行うことを特徴とする請求項１２に記載の通信装置。
【請求項１４】
通信装置の通信方法であって、
ネットワークを形成する形成工程と、
前記形成工程においてネットワークを形成した後に、他のネットワークを検索する検索工程と、
前記検索工程において検出した他のネットワークに存在する他の通信装置の通信パラメータの設定処理における役割を判別する判別工程と、
通信パラメータの設定処理における役割が通信パラメータの提供装置である通信装置を検出すると、該提供装置が存在するネットワークに参加する参加工程と、
前記参加工程における前記提供装置のネットワークへの参加後に、前記提供装置と前記設定処理を実行し、前記提供装置から提供された通信パラメータを設定する設定工程と、
を有することを特徴とする通信装置の通信方法。
【請求項１５】
通信装置の通信方法であって、
ネットワークで通信するための通信パラメータを他の通信装置に提供するか、他の通信装置から通信パラメータを受け取るかを決定する決定工程と、
通信パラメータの提供側装置を確認する確認工程と、
前記決定工程において前記通信装置が他の通信装置から通信パラメータを受け取ると決定した後に、通信パラメータの提供装置としての機能の起動状態を判別する判別工程と、
前記判別工程における判別に応じて、前記他の通信装置に通信パラメータの提供を要求する要求工程と、
を有することを特徴とする通信装置の通信方法。
【請求項１６】
ネットワークを形成する形成工程と、
前記形成工程においてネットワークを形成した後に、他のネットワークを検索する検索工程と、
前記検索工程において検出した他のネットワークに存在する他の通信装置の通信パラメータの設定処理における役割を判別する判別工程と、
通信パラメータの設定処理における役割が通信パラメータの提供装置である通信装置を検出すると、該提供装置が存在するネットワークに参加する参加工程と、
前記参加工程における前記提供装置のネットワークへの参加後に、前記提供装置と前記設定処理を実行し、前記提供装置から提供された通信パラメータを設定する設定工程と、
をコンピュータが実行するためのプログラム。
【請求項１７】
ネットワークで通信するための通信パラメータを他の通信装置に提供するか、他の通信装置から通信パラメータを受け取るかを決定する決定工程と、
通信パラメータの提供側装置を確認する確認工程と、
前記決定工程において前記通信装置が他の通信装置から通信パラメータを受け取ると決定した後に、通信パラメータの提供装置としての機能の起動状態を判別する判別工程と、
前記判別工程における判別に応じて、前記他の通信装置に通信パラメータの提供を要求する要求工程と、
をコンピュータが実行するためのプログラム。
【手続補正２】
【補正対象書類名】明細書
【補正対象項目名】００１５
【補正方法】変更
【補正の内容】
【００１５】
本発明は、通信装置がネットワークを形成した後に、他のネットワークを検索し、他のネットワークに存在する他の通信装置の通信パラメータの設定処理における役割を判別し、通信パラメータの設定処理における役割が通信パラメータの提供装置である通信装置を検出すると、該提供装置が存在するネットワークに参加して、提供装置と通信パラメータの設定処理を実行し、提供装置から提供された通信パラメータを設定する。
【手続補正３】
【補正対象書類名】明細書
【補正対象項目名】００１６
【補正方法】変更
【補正の内容】
【００１６】
また、本発明は、通信装置が他の通信装置から通信パラメータを受け取ると決定した後に、通信パラメータの提供装置としての起動状態を判別し、該判別に応じて、前記他の通信装置に通信パラメータの提供を要求する。